(57)【要約】【課題】  開封又は再封機能の発揮によって自動的に開封表示が露出する構成を備え、その機能が再封時にあっても損なわれない包装用箱及びそのブランクシートの提供。【解決手段】  筒状に折り曲げられた連続した四側板及びそのうちの連続した二側板に重なる連続した裏板並びに当該四側板に囲まれた二つの開口部を封じる封鎖板を備え、前記二側板のいずれかの端縁に挿込片状の切込線を備え、前記挿込片状の切込線を備える側板に重なる裏板に前記切込線で離脱した挿込片が挿し入れられる保持部を備え、前記挿込片状の切込線を備える側板とその裏板とからなる複層部の前記切込線の内側に非貼着部又は剥離予定部を備え、前記保持部の表面に開封表示を備え、前記挿込片状の切込線を備える側板の端縁と当該側板に対向する側板の端縁を連絡する封鎖板を備える再封機能付き包装用箱及びそのブランクシート。【選択図】      図１
2020083430.tif 000002
【特許請求の範囲】
【請求項１】
一枚のブランクシートを直方体状に成形してなる包装用箱であって、
筒状に折り曲げられた連続した四側板及びそのうちの連続した二側板にそれぞれ重なる連続した裏板並びに当該四側板に囲まれた二つの開口部を封じる封鎖板を備え、
前記裏板が重なる二側板のいずれかの端縁に挿込片状の切込線を備え、
前記挿込片状の切込線を備える側板に重なる裏板に前記切込線で離脱した挿込片が挿し入れられる保持部を備え、
前記挿込片状の切込線を備える側板とその裏板とからなる複層部の前記挿込片状の切込線の内側に非貼着部又は剥離予定部を備え、
前記保持部の表面に開封表示を備え、
前記挿込片状の切込線を備える側板の端縁と当該側板に対向する側板の端縁を連絡する封鎖板を備えることを特徴とする再封機能付き包装用箱。
【請求項２】
一枚のブランクシートを直方体状に成形してなる包装用箱であって、
筒状に折り曲げられた連続した四側板及びそのうちの連続した二側板にそれぞれ重なる連続した裏板並びに当該四側板に囲まれた二つの開口部を封じる封鎖板を備え、
前記裏板が重なる二側板のいずれかの端縁に挿込片状の切込線を備え、
前記挿込片状の切込線を備える側板に重なる裏板に前記切込線で離脱した挿込片が挿し入れられる保持部を備え、
前記挿込片状の切込線を備える側板とその裏板とからなる複層部の前記挿込片状の切込線の内側に非貼着部又は剥離予定部を備え、
前記保持部は、その上縁から延出する開封表示片を屈曲可能に備え、
前記挿込片状の切込線を備える側板の端縁と当該側板に対向する側板の端縁を連絡する封鎖板を備えることを特徴とする再封機能付き包装用箱。
【請求項３】
最も端に配置された側板とその裏板とからなる複層部を備え、
当該複層部に非貼着部又は剥離予定部を備えると共に、前記最も端に配置された側板の前記非貼着部又は剥離予定部に切込線に囲まれたタグ部を備える請求項１又は請求項２のいずれかに記載の再封機能付き包装用箱。
【請求項４】
直方体状の包装用箱に折り曲げ成形されるブランクシートであって、
筒状に折り曲げられる連続した四側板及びそのうちの連続した二側板にそれぞれ重なる連続した裏板並びに当該四側板に囲まれた開口部を封じる封鎖板を備え、
前記裏板が重なる二側板のいずれかの端縁に挿込片状の切込線を備え、
前記挿込片状の切込線を備える側板に重なる裏板に前記切込線で離脱した挿込片が挿し入れられる保持部を備え、
前記保持部の表面に開封表示を備え、
前記挿込片状の切込線を備える側板の端縁と当該側板に対向する側板の端縁を連絡する封鎖板を備えることを特徴とする再封機能付き包装用箱用ブランクシート。
【請求項５】
直方体状の包装用箱に折り曲げ成形されるブランクシートであって、
筒状に折り曲げられる連続した四側板及びそのうちの連続した二側板にそれぞれ重なる連続した裏板並びに当該四側板に囲まれた開口部を封じる封鎖板を備え、
前記裏板が重なる二側板のいずれかの端縁に挿込片状の切込線を備え、
前記挿込片状の切込線を備える側板に重なる裏板に前記切込線で離脱した挿込片が挿し入れられる保持部を備え、
前記保持部は、その上縁から延出する開封表示片を備え、
前記挿込片状の切込線を備える側板の端縁と当該側板に対向する側板の端縁を連絡する封鎖板を備えることを特徴とする再封機能付き包装用箱用ブランクシート。
【請求項６】
最も端に配置された側板に切込線に囲まれたタグ部を備える請求項４又は請求項５のいずれかに記載の再封機能付き包装用箱用ブランクシート。
【発明の詳細な説明】
【技術分野】
【０００１】
本発明は、開封されたことを表示する機能を一体的に備える再封可能な包装用箱であって、その機能が再封時にあっても損なわれない包装用箱及びそのブランクシートに関するものである。
【背景技術】
【０００２】
医薬品などを内包する包装用箱の分野では、開封後において異物の混入を回避する上で再封機能を備えることが望ましく、更に、内包物の品質が損なわれない様に、開封表示機能及び改竄防止機能（以下「開封表示機能等」という）が付されることが求められる。
これまで紹介されている開封表示機能等は、箱の一部を剥がして開封表示を露出させる手法（下記特許文献１又は特許文献２参照）と、フラップの一部又は全部を脱出させて開封表示を露出させる手法（下記特許文献３又は特許文献４参照）などが採られている。
【０００３】
また、開封後にあっては、内容物を包装用箱から取り出し、例えば、ＰＴＰ（Press Through Package）シートの状態で調剤棚に保管する場合に、当該ＰＴＰシートを包装用箱に印刷された情報と結びつけるため、包装用箱の特定の部分をタグとして切り取り、当該ＰＴＰシートに添付し又は調剤棚所定の保管位置に貼り付けるなどすることが行われている。
従って、前記開封表示機能等の存在が、箱の一部にタグを備えることの支障とならない構成であることが好ましい。
【先行技術文献】
【特許文献】
【０００４】
【特許文献１】特開２００５−２９８０４９号公報
【特許文献２】実用新案登録第３２０６１２５号公報
【特許文献３】実用新案登録第３１９４８３４号公報
【特許文献４】実用新案登録第３２０６１９９号公報
【発明の概要】
【発明が解決しようとする課題】
【０００５】
しかしながら、従来の手法のように開封表示等に別途操作を必要とする構成では、開封表示機能を発揮させる操作の失念などによって、せっかくの開封表示機能が有効に発揮されないという問題がある。
また、再封が可能な包装用箱については、再封時にあっても開封表示機能等を損なわない構成を持つことも求められている。
【０００６】
本発明は、上記実情に鑑みてなされたものであって、開封又は再封機能の発揮によって自動的に開封表示が露出する構成を備え、その機能が再封時にあっても損なわれない包装用箱及びそのブランクシートの提供を目的とする。
【課題を解決するための手段】
【０００７】
上記課題を解決するために為された本発明による再封機能付き包装用箱は、一枚のブランクシートを直方体状に成形してなる包装用箱であって、筒状に折り曲げられた連続した四側板及びそのうちの連続した二側板にそれぞれ重なる連続した裏板並びに当該四側板に囲まれた二つの開口部を封じる封鎖板を備え、前記裏板が重なる二側板のいずれかの端縁に挿込片状の切込線を備え、前記挿込片状の切込線を備える側板に重なる裏板に前記切込線で離脱した挿込片が挿し入れられる保持部を備え、前記挿込片状の切込線を備える側板とその裏板とからなる複層部の前記挿込片状の切込線の内側に非貼着部又は剥離予定部を備え、前記保持部の表面に開封表示を備え、前記挿込片状の切込線を備える側板の端縁と当該側板に対向する側板の端縁を連絡する封鎖板を備えることを特徴とする。
【０００８】
前記保持部は、その上縁から延出する開封表示片を屈曲可能に備える構成を採ることができ、最も端に配置された側板とその裏板とからなる複層部を備え、当該複層部に非貼着部又は剥離予定部を備えると共に、前記最も端に配置された側板の前記非貼着部又は剥離予定部に切込線に囲まれたタグ部を備える構成を採ることもできる。
【０００９】
上記課題を解決するために為された本発明による再封機能付き包装用箱のブランクシートは、直方体状の包装用箱に折り曲げ成形されるブランクシートであって、筒状に折り曲げられる連続した四側板及びそのうちの連続した二側板にそれぞれ重なる連続した裏板並びに当該四側板に囲まれた開口部を封じる封鎖板を備え、前記裏板が重なる二側板のいずれかの端縁に挿込片状の切込線を備え、前記挿込片状の切込線を備える側板に重なる裏板に前記切込線で離脱した挿込片が挿し入れられる保持部を備え、前記保持部の表面に開封表示を備え、前記挿込片状の切込線を備える側板の端縁と当該側板に対向する側板の端縁を連絡する封鎖板を備えることを特徴とする再封機能付き包装用箱用ブランクシート。
【００１０】
前記保持部は、その上縁から延出する開封表示片を備える構成を採ることができ、最も端に配置された側板に、切込線に囲まれたタグ部を備える構成を採ることもできる。
【発明の効果】
【００１１】
本発明による再封機能付き包装用箱及びそのブランクシートによれば、挿込片状の切込を破断して開封することによって、保持部が前側板の切欠部から露出し、従来の手法のように、開封表示機能等を発揮させる際に別途操作を必要とすることなく自動的に開封表示効果を奏することとなる。
また、前記開封表示片を備えた構成を採る場合には、保持部の端縁に延設された開封表示片が紙の硬直性などの作用で起立し、従来の手法のように開封表示等に別途操作を必要とすることなく自動的に開封表示等が露出するため、開封表示機能等を発揮させる操作の失念という問題が解決され、包装用箱に設けられた開封表示機能が有効に発揮されることとなる。
【００１２】
再封時にあっても挿込片を保持部の裏に挿し入れる操作に伴って、当然に開封表示が露出する構成が採られているため、再封時にあっても自動的に開封表示機能等が果たされることとなり、前記開封表示片が起立していれば、当該開封表示片の有無を、四側方及び上方の五方向から認識することができる。
また、開封後にあっては、内容物を包装用箱から取り出し、例えば、ＰＴＰシートの状態で調剤棚に保管する場合に、当該ＰＴＰシートを包装用箱に印刷された情報と結びつけるため、包装用箱の特定の部分をタグとして切り取り、当該ＰＴＰシートに添付し又は調剤棚所定の保管位置に貼り付けるなどする場合にあっても、再封機能と、前記開封表示機能等の存在と、箱の一部にタグを備えることが、相互に支障とならない構成であるため、多様な要請に対応できる包装用箱を提供することができる。
【図面の簡単な説明】
【００１３】
【図１】本発明による包装用箱の例を示す（Ａ）：封鎖時及び（Ｂ）（Ｃ）：開封時における要部正面図である。
【図２】本発明による包装用箱の一例を示す再封時における要部右側面図である。
【図３】本発明による包装用箱の一例を示す封鎖時における要部右側面図である。
【図４】本発明による包装用箱の一例を示す（Ａ）：正面図及び（Ｂ）：背面図である。
【図５】本発明による包装用箱の一例を示す（Ａ）：左側面図及び（Ｂ）：右側面図である。
【図６】本発明による包装用箱の一例を示す（Ａ）：平面図及び（Ｂ）：底面図である。
【図７】本発明による包装用箱のタグが脱離する状態の一例を示す側面図である。
【図８】本発明による包装用箱のブランクシートの一例を示す表側から見た平面図である。
【図９】本発明による包装用箱のブランクシートの一例を示す表側から見た平面図である。
【発明を実施するための形態】
【００１４】
以下、本発明による再封機能付き包装用箱の実施の形態を、そのブランクシートの実施の形態と共に詳細に説明する。
以下に示す本発明による包装用箱の例は、一枚のブランクシートを直方体状に組み立てそのいずれかの面に開封部を設けてなる包装用箱である。
【００１５】
当該包装用箱は、筒状に連結した方形状の側板並びに当該側板に囲まれた開口部を封じる蓋Ａ及び底Ｂを備え、それらに囲まれた内空部を形成する。
当該包装用箱は、一連の右側板１、前側板２、左側板３及び後側板４を備え、前記後側板４に連続して、前記右側板１の裏側に折り重なる連結板（裏板）５と、前記前側板２の裏側に折り重なる保持板（裏板）６を備える。
【００１６】
前記蓋Ａは、前記右側板１及び左側板３の上端縁からそれぞれ延出する右上フラップ（右上封鎖板７）及び左上フラップ（左上封鎖板８）、並びに前側板２の上端縁から延出し後側板４の上端へ連絡する連絡封鎖板９が、折り重なって形成され、前記底Ｂは、前記右側板１及び左側板３の下端縁からそれぞれ延出する右下フラップ（右下封鎖板１０）及び左下フラップ（左下封鎖板１１）、並びに前記前側板２及び後側板４の下端縁からそれぞれ延出する前封鎖板１２及び後封鎖板１３が、折り重なって形成される。
【００１７】
前記左右上封鎖板８，７及び左右下封鎖板１１，１０は、ともに方形状であり、その延出長は前記前側板２又は後側板４の幅の半分未満に設定されている。
一方、前記連絡封鎖板９及び後封鎖板１３は、それぞれ上下開口部の全域を覆う方形状に設定され、前記前封鎖板１２は、延出長が前記後封鎖板よりも僅かに短い方形状に設定されている。
【００１８】
前記右側板１は、後端縁の中央をコの字状に切り込んだ分離破断線（切込線）ｒを備え、その内側に、当該分離破断線ｒに囲まれたタグ部Ｔを形作る。
前記右側板１と前記連結板５は、前記分離破断線ｒの外側、即ち、前記タグ部Ｔを除く部位で接着し、当該タグ部Ｔの裏面と前記右側板１との間は、非接着面又は熱圧着等による剥離予定部となる。その結果、前記分離破断線ｒの破断によって、前記タグ部Ｔが容易に切り取られて脱離する。
【００１９】
前記タグ部Ｔの開放端は、下から上へ破断する際の便宜として、その下部に摘み部Ｔ１が形作られている他、当該タグ部Ｔを囲む分離破断線ｒは、下辺では手前から奥へ引き上げて破断するように、各切込みについて手前から上向きの力を迎えるように切り込まれ、中間部は一気に見栄えよく破断するように、微細なピッチで千鳥状に並走して切り込まれ、上辺では、奥から手前へ引き上げて破断するように、各切込みについて奥から上向きの力を迎えるように切り込まれている。
【００２０】
前記左側板３及び前記連結板５は、前記右側板１と略等しい形状の、前記タグ部Ｔを有しない側板である。
前記連結板５は、上下フラップ７，８，１０，１１が折曲げられる際の妨げとならないように、上下端縁が僅かに切り欠かれている。
前記前側板２は、その上端部に、下に凸となる弓状の開封破断線（切込線）ｐを備え、その下端部に、上に凸となる円弧状の分解破断線ｑを備える。
前記後側板４は、前記前側板２と略等しい形状の、前記切込みｐ，ｑを有しない側板である。
【００２１】
前記保持板６は、前記前側板２及び後側板４と略等しい幅を備え、下部は前記分解破断線ｑの高さだけ切り欠かれ、上部は開封破断線ｐを破る指先が通過できる分だけ逃げる形で弓状に切り欠かれている。
前記保持板６と前記前側板２は、前記前側板２の開封破断線ｐの外側を接着し、当該開封破断線ｐの内側を非接着部又は熱圧着等による剥離予定部とする。
【００２２】
その様な構造から、当該保持板６の上縁部は、前記開封破断線ｐより上位に位置し、前記開封破断線ｐが破断され、その内側が挿込片Ｃとして脱離した後には、当該上縁部は、保持部Ｄとしてその間隙から露出する（図１（Ｂ）（Ｃ）参照）。
また、再封操作により当該挿込片Ｃが前記保持部Ｄの裏側へ挿し入れられた際には、当該保持板６の上縁部が当該挿込片Ｃを支持する保持部Ｄとなり、前記保持部Ｄの切欠きの頂点の直下表面に記された開封表示が、例えば、「開封済」と顕在化することとなる（図１（Ｂ）参照）。
図１（Ｃ）、図２、図３、図５、図８に示す例では、前記保持部Ｄは、その上縁から延出し、例えば、「開封済」と開封表示を備える開封表示片Ｅを屈曲可能に備える。
【００２３】
[ブランクシート]
図７及び図８に示す上記包装用箱のブランクシートは、上記包装用箱に折曲げ成形される一連の厚紙であって、前記右側板１、前記前側板２、前記左側板３、前記後側板４、連結板５、保持板６の順で一列に連結した帯状領域を備える。
【００２４】
前記ブランクシートは、更に、前記蓋Ａの構成するものとして、前記右側板１及び左側板３の上端縁からそれぞれ延出する前記右上フラップ（右上封鎖板７）及び前記左上フラップ（左上封鎖板８）、並びに前側板２の上端縁から延出し後側板４の上端へ連絡する前記連絡封鎖板９を備え、前記底Ｂを構成するものとして、前記右側板１及び左側板３の下端縁からそれぞれ延出する前記右下フラップ（右下封鎖板１０）及び前記左下フラップ（左下封鎖板１１）、並びに前側板２及び後側板４の下端縁からそれぞれ延出する前記前封鎖板１２及び前記後封鎖板１３を備える。
【００２５】
前記開封破断線ｐは、前記前側板２の上縁両端からその全幅にわたって、挿込片Ｃとなるに十分な高さ下に凸の弓状（挿込片状）に切り込まれたミシン目であり、この例では、前記前側板２の上縁両端より約３ｍｍから約５ｍｍ程度当該前側板２の側縁に沿って切り込み、その下端から当該前側板２の中央に向けて先窄まりとなるように切り込み、且つその端縁が直線状となる様に切り込んだものである。
この例では、当該開封破断線ｐに囲まれたエリアを、開封時にあっては、指の貫入部とし、再封時にあっては、前記保持部Ｄの裏側に挿し入れられる挿込片Ｃとして用いる。
【００２６】
前記タグ部Ｔを囲む分離破断線ｒは、二列の間欠切込を互い違いに並設してなる複切込と、への字状に屈曲した切り込みが間欠的に等間隔で配置された単切込とで構成される。
前記タグ部Ｔは、前記右側板１の後方中央部に配置され、その分離破断線ｒの上辺及び下辺に単切込を採用し、縦辺に複切込が採用されている。
前記上辺は、への字状切込の破断軌道から外れる短辺がタグ部Ｔの外側の前方に配置され、前記下辺は、への字状短辺がタグ部Ｔの内側の後方に配置されている。
前記タグ部Ｔの後縁は、その一部が後退し、その後退部分を境に下部に摘み部Ｔ１が形作られた外形に成形されている。
【００２７】
前記複切込は、切込長：間欠長が２：３から３：２のミシン目を、半周期位相がずれた状態で二列並走させることで、波長が１．５ｍｍから３．０ｍｍの方形波状を呈する切込として形作ったものである。
前記複切込は、ミシン目一つ一つが細く短いにも関わらず、良好な破断を行うことができ、且つ凹凸が少なく破断前の手触りが滑らかなので、それと接する他の物との干渉にあっても、引っ掛かりが少ないという特徴がある。
前記二列の間隔を、当該ブランクシートの紙厚に略等しく設定することによって（例えば、紙厚に対して０．５ｍｍ程度増減した幅など。）、輸送時や積上げ時に破断が生じ難く、破断時にあっては、容易に且つ見た目良く破断できることとなる。
【００２８】
前記分解破断線ｑは、前記前側板２の下縁両端からその全幅にわたって上に凸の円弧状に切り込まれたミシン目であり、この例では、前記前側板２の下縁両端より約１０ｍｍ程度上方中央に頂点が来るように切り込んだものである。
この例では、当該分解破断線ｑに囲まれたエリアを、分解時における指の貫入部として用いる。
【００２９】
[組み立て]
前記ブランクシートは、先ず、前記後側板４と連結板５の境界線で折り重ね、次に、同じ方向へ前記左側板３と前側板２の境界線で折り重ねて、前記右側板１と連結板５及び前記前側板２と保持板６を、上記の如く前記非接着部又は前記剥離予定部を設けつつ接着する。
次に、前記右側板１、前記前側板２、前記左側板３、前記後側板４、前記連結板５及び前記保持板６の各々の境界線ですべて同じ方向へ直角に屈曲するように展開させ、ブランクシート全体を筒状に立体化する。
【００３０】
続いて、前記底Ｂとして、前記右下フラップ（右下封鎖板１０）及び前記左下フラップ（左下封鎖板１１）を下開口部側へ直角に折曲げ、その上に前記前封鎖板１２を下開口部側へ直角に折曲げ、更にその上に前記後封鎖板１３を直角に折曲げて強固に接着し、筒状に立体化したブランクシート（以下「箱体」という）の下開口部を封鎖する。
当該箱体に商品等を装填した上で、最後に、前記蓋Ａとして、前記右上フラップ（右上封鎖板７）及び前記左上フラップ（左上封鎖板８）を開口部側へ直角に折曲げ、前記連絡封止板９を前記開封表示片Ｅを巻き込みつつ開口部側へ直角に折曲げ、その先端から延出する挿込板１４を、前記後側板４の内側へ挿し入れて強固に接着し、前記前側板２の端縁と前記後側板４の端縁を連絡した状態で前記箱体の上開口部を封鎖する（図３参照）。
【００３１】
[開封]
上記の如く封鎖された包装用箱は、前記前側板２の上端部に設けられた前記挿込片状の開封破断線ｐに囲まれた貫入部を指先で押し入れ、前記前側板２の挿込片Ｃと共に前記連絡封鎖板９を引き上げることによって、前記前側板２の上位に設けた前記開封破断線ｐが破断し、それらが前記蓋Ａの一部となって後方へ揺動し起立する状態で開封される（図２参照）。
上記開封操作によって、前記保持部Ｄが露出し、当該保持部Ｄの表面に記載された「開封済」の表示が自動的に顕在化する（図１（Ｂ）参照）。
更に、前記保持部Ｄの上縁に開封表示片Ｅが延設されている場合には、前記連絡封鎖板９によって折り込まれていた開封表示片Ｅが起立し、「開封済」の表示と共に、開封状態をより強く顕在化させる（図１（Ｃ），図２参照）。
【００３２】
[再封]
前記挿込片Ｃを、露出した前記保持部Ｄの裏側に挿し入れる操作を経て当該包装用箱は再封される。
開封表示は、前記保持部Ｄの表面に記載されているため、前記再封操作によって、開封表示が隠されることはなく、前記保持部Ｄの上縁に開封表示片Ｅが延設されている場合にあっても、起立した開封表示片Ｅに抵触することなく前記挿込片Ｃを挿し入れることができるので、封じる際の支障ともならず、「開封済」の表示をより見易く示すことができる（図１（Ｂ）（Ｃ）及び図２参照）。
【００３３】
[タグ部の切り離し]
前記タグ部Ｔは、前記摘み部Ｔ１を指先で摘んで上向きに引き剥がすことによって、前記分離破断線ｒが破断し、前記タグ部Ｔを容易に切り離すことができる（図７参照）。
当該タグ部Ｔの分離によって、再封機能の発揮や、開封済の表示に支障が出ることもない。
【００３４】
切り離された前記タグ部Ｔは、商標や内容物情報を記した表示が一見で目視できる短冊状のタグｔとなる（図７参照）。
本発明による包装用箱は、前記タグ部Ｔが存在した部分が欠け、前記連結板５が露出するものの、内容物の露出は回避できる（目隠し機能）。
また、前記連結板５の非接着部又は剥離予定部の表面に離脱した部分と等しい図柄等の印刷をしておけば、離脱後の体裁も良好となる。
【００３５】
なお、この発明は上記実施例に限定されるものではなく、前記タグ部Ｔの形態又は前記四側面、前記蓋Ａ若しくは前記底Ｂの構成などを、本願発明の目的とする機能を損なわない限りにおいて適宜変更することが可能である。
包装用箱の材質は、紙やプラスチック等、自由に選択可能である。折曲げ線や切込の形状も、前記機能を損なわない限りにおいて適宜変更可能である。
【符号の説明】
【００３６】
Ａ  蓋，Ｂ  底，Ｃ  挿込片，Ｄ  保持部，Ｅ  開封表示片， 
Ｔ  タグ部，Ｔ１  摘み部，ｔ  タグ，
ｐ  開封破断線，ｑ  分解破断線，ｒ  分離破断線，
１  右側板，２  前側板，３  左側板，４  後側板，
５  連結板，６  保持板，
７  右上フラップ（右上封鎖板），８  左上フラップ（左上封鎖板），
９  連絡封鎖板，
１０  右下フラップ（右下封鎖板），１１  左下フラップ（左下封鎖板），
１２  前封鎖板，１３  後封鎖板，１４  挿込板，
【図１】
2020083430.tif 000003
【図２】
2020083430.tif 000004
【図３】
2020083430.tif 000005
【図４】
2020083430.tif 000006
【図５】
2020083430.tif 000007
【図６】
2020083430.tif 000008
【図７】
2020083430.tif 000009
【図８】
2020083430.tif 000010
【図９】
2020083430.tif 000011